(57)【特許請求の範囲】
【請求項１】
シースの先端に配置された先端支持枠に軸線と平行方向にスリットが形成されて、一対の鉗子片と一体的に形成されて上記スリットの間に挟置された一対の駆動レバーが上記スリットを横切って配置された支軸に回動自在に支持され、上記シースの基端側からの操作によって上記シースの先端から出入りする一対のワイヤの先端が上記駆動レバーの後端近傍に連結され、上記ワイヤを軸線方向に進退操作することにより上記駆動レバーが上記支軸を中心に回動して上記鉗子片が嘴状に開閉駆動されるようにした内視鏡用鉗子であって、
上記駆動レバーの上記スリットの壁面と接する側の面の後寄りの部分を上記スリットの壁面との間に隙間が生じるように削ぎ落とされた形状に形成し、上記ワイヤを上記シースの先端から上記隙間内に引き通して上記駆動レバーと連結したものにおいて、
上記駆動レバーの後寄りの削ぎ落とし面に上記隙間に向かって開口する孔を穿設して、上記隙間内から上記孔内に折り曲げられた上記ワイヤの先端部分の外周を囲む状態に上記孔内からの抜け止めとして作用するストッパを取り付け、上記ストッパの上記孔内に通された部分を上記隙間内に突出する長さに形成したことを特徴とする内視鏡用鉗子。
【発明の詳細な説明】
【０００１】
【発明の属する技術分野】
この発明は、内視鏡の鉗子チャンネルに挿通されて手元側からの操作によって先端の鉗子片が嘴状に開閉される内視鏡用鉗子に関する。
【０００２】
【従来の技術】
図８は従来の内視鏡用生検鉗子の側面断面図であり、シース１の先端に配置された先端支持枠４に軸線と平行方向にスリット４１が形成されている。
【０００３】
そして、一対の鉗子片３ａ，３ｂと一体的に形成されてスリット４１の間に挟置された一対の駆動レバー５ａ、５ｂが、スリット４１を横切って配置された支軸に回動自在に支持されている。
【０００４】
シース１内に軸線方向に進退自在に挿通配置された操作ワイヤ２の先端には一対のワイヤ２ａ，２ｂが連結され、その一対のワイヤ２ａ，２ｂの先端が駆動レバー５ａ，５ｂの後端付近に連結されていて、操作ワイヤ２を軸線方向に進退操作することにより駆動レバー５ａ，５ｂが支軸９を中心に回動し、鉗子片３ａ，３ｂが嘴状に開閉駆動されるようになっている。
【０００５】
ワイヤ２ａ，２ｂの先端と駆動レバー５ａ，５ｂとの連結部においては、図９の平面一部断面図にも示されるように、駆動レバー５ａ，５ｂのスリット４１の壁面と接する側の面の後寄りの部分が、スリット４１の壁面との間に隙間Ａが生じるように削ぎ落とされた形状に形成されている。５ｚがその面である。
【０００６】
そして、駆動レバー５ａ，５ｂの後端近傍に形成された小孔６ａ，６ｂにワイヤ２ａ，２ｂの先端部分が通されて、その折り返し部分が隙間Ａ部分に通されている。
【０００７】
【発明が解決しようとする課題】
しかし、そのようなワイヤ２ａ，２ｂの折り返し部分は、鉗子が繰り返し使用されているうちに幾分か広がる方向に変形すると、図１０の正面断面図に示されるように、ワイヤ２ａ，２ｂの折り返し部分の先端Ｂがスリット４１の口元に引っ掛かって、作動不良になってしまう場合がある。
【０００８】
そこで本発明は、回動自在にスリットの間に挟置された駆動レバーにワイヤの先端が直接連結された構造のものにおいて、ワイヤの先端がスリットの口元に引っ掛かることなく良好な動作を継続することができる内視鏡用鉗子を提供することを目的とする。
【０００９】
【課題を解決するための手段】
上記の目的を達成するため、本発明の内視鏡用鉗子は、シースの先端に配置された先端支持枠に軸線と平行方向にスリットが形成されて、一対の鉗子片と一体的に形成されてスリットの間に挟置された一対の駆動レバーがスリットを横切って配置された支軸に回動自在に支持され、シースの基端側からの操作によってシースの先端から出入りする一対のワイヤの先端が駆動レバーの後端近傍に連結され、ワイヤを軸線方向に進退操作することにより駆動レバーが支軸を中心に回動して鉗子片が嘴状に開閉駆動されるようにした内視鏡用鉗子において、駆動レバーのスリットの壁面と接する側の面の後寄りの部分をスリットの壁面との間に隙間が生じるように削ぎ落とされた形状に形成し、ワイヤをシースの先端から隙間内に引き通して駆動レバーと連結したものである。
【００１０】
【発明の実施の形態】
図面を参照して本発明の実施の形態を説明する。
図３は内視鏡の鉗子チャンネルに通して使用される内視鏡用生検鉗子の第１の参考例を示しており、可撓性シース１は、例えばステンレス鋼線を一定の径で密着巻きしたコイルパイプによって形成されている。
【００１１】
可撓性シース１内には、操作ワイヤ２が軸線方向に進退自在に全長にわたって挿通配置されており、操作ワイヤ２を手元側から軸線方向に進退させることによって、可撓性シース１の先端側に配置された一対の鉗子片３ａ，３ｂが開閉駆動される。
【００１２】
可撓性シース１の手元側端部（基端部）には、操作ワイヤ２を進退操作するための操作部１０が連結されている。操作ワイヤ２の基端は、操作部本体１１に対して軸線方向に進退自在なスライダー１２に連結され、操作部本体１１とスライダー１２とに各々指掛け１３，１４が取り付けられており、スライダー１２を進退操作することにより操作ワイヤ２が進退する。
【００１３】
図２は、鉗子片３ａ，３ｂが配置された可撓性シース１の先端部分の側面断面図であり、図１はその平面一部断面図である。ただし、図１においては、一対ずつ設けられている部材の一方は省略されている。
【００１４】
可撓性シース１の先端に連結固着された先端支持枠４は、軸線と平行方向に形成れたスリット４１によって、先側半部がフォーク状に大きく分割された形状に形成されている。
【００１５】
一対の鉗子片３ａ，３ｂには、各々駆動レバー５ａ，５ｂが一体に連結形成され、一対の駆動レバー５ａ，５ｂは、図１に示されるように、スリット４１の間にサンドイッチ状に並んだ状態に挟置されている。
【００１６】
そして、スリット４１を横断するように先端支持枠４の先端付近に取り付けられた支軸９が、駆動レバー５ａ，５ｂの先寄りの部分に形成された孔８に通されて、一対の駆動レバー５ａ，５ｂが支軸９に回動自在に支持され、一対の駆動レバー５ａ，５ｂが支軸９を中心に回動することにより、一対の鉗子片３ａ，３ｂが嘴状に開閉する。
【００１７】
操作ワイヤ２として、ステンレス鋼線の撚り線又は単線からなる二本のワイヤ２ａ，２ｂが可撓性シース１内に並べて配置されており、その二本のワイヤ２ａ，２ｂの先端部分が、可撓性シース１の先端から前方に突出して、駆動レバー５ａ，５ｂの後端付近に形成された小孔６ａ，６ｂに係合している。
【００１８】
駆動レバー５ａ，５ｂのスリット４１の壁面と接する側の面の後寄りの部分は、スリット４１の壁面との間に隙間Ａが生じるように削ぎ落とされた形状に形成されている。５ｚがその削ぎ落とし面である。そしてワイヤ２ａ，２ｂは、シース１の先端からその隙間Ａ内に引き通されて小孔６ａ，６ｂ側に折り曲げられている。
【００１９】
この参考例においては、小孔６ａ，６ｂを通されたワイヤ２ａ，２ｂの端部部分は、スリット４１の幅の半分の幅を有する空間側において後方に折り曲げられている。
【００２０】
なお、ワイヤ２ａ，２ｂの先端に対して鉗子片３ａ，３ｂが抵抗なく向きを変えることができるように、ワイヤ２ａ，２ｂは小孔６ａ，６ｂに対して固定されることなく回転自在に連結されている。
【００２１】
二本のワイヤ２ａ，２ｂは、可撓性シース１の先端近傍内において捩じり合わされて、結束されたのと同じ状態になっている。したがって、操作ワイヤ２を進退させることにより二本のワイヤ２ａ，２ｂが偏りなく連動する。
【００２２】
このような構成により、操作部１０において操作ワイヤ２を進退操作すると、ワイヤ２ａ，２ｂの先端に連結された駆動レバー５ａ，５ｂが支軸９を中心に回動し、それによって鉗子片３ａ，３ｂが嘴状に開閉する。
【００２３】
そのような動作の際に、折り返されたワイヤ２ａ，２ｂの端部Ｂがスリット４１に側方から出入りするが、図１及び正面断面図である図４に示されるように、ワイヤ２ａ，２ｂの端部Ｂはスリット４１の幅の半分の幅を有する広い空間側に位置するので、ワイヤ２ａ，２ｂの端部Ｂが多少広がってきても、スリット４１の口元に引っ掛かることなく確実に開閉動作が行われる。
【００２４】
図５は、本発明の第２の参考例の内視鏡用生検鉗子の先端部分を示しており、ワイヤ２ａ，２ｂが、シース１の先端から駆動レバー５ａ，５ｂの削ぎ落とし面５ｚとスリット４１の側面との間の隙間Ａ内に導かれている点は前述の第１の参考例と同じである。
【００２５】
そしてこの参考例においては、隙間Ａ内から小孔６ａ，６ｂ側に折り曲げられたワイヤ２ａ，２ｂの先端に、小孔６ａ，６ｂに対する抜け止めとして球状のストッパ２ｃが形成されている。このような構成のものでも、本発明の採用により、ストッパ２ｃがスリット４１の口元にぶつからなくなって、開閉動作が確実に行われる。
【００２６】
図６は、本発明の実施例の内視鏡用生検鉗子の先端部分を示しており、ワイヤ２ａ，２ｂが、シース１の先端から駆動レバー５ａ，５ｂの削ぎ落とし面５ｚとスリット４１の側面との間の隙間Ａ内に導かれている点は前述の第１及び第２の参考例と同じである。
【００２７】
そしてこの実施例においては、隙間内から小孔６ａ，６ｂ側に折り曲げられたワイヤ２ａ，２ｂの先端に、小孔６ａ，６ｂに対する抜け止めとしてハトメ状のストッパ２ｄが取り付けられている。このような構成のものでも、本発明の採用により、ストッパ２ｄがスリット４１の口元にぶつからなくなって、開閉動作が確実に行われる。
【００２８】
なお、図７に拡大図示されるように、小孔６ａ，６ｂに通されるハトメ状のストッパ２ｄの細径部の長さを小孔６ａ，６ｂの長さより長く形成することにより、ワイヤ２ａ，２ｂが駆動レバー５ａ，５ｂに直接触れず、動作がよりスムーズになる。
【００２９】
なお、本発明は上記実施例に限定されるものではなく、例えば内視鏡用の把持鉗子や鋏鉗子等のように、手元側からの操作によって先端の鉗子片が嘴状に開閉される各種内視鏡用鉗子に広く適用することができる。
【００３０】
【発明の効果】
本発明によれば、駆動レバーのスリットの壁面と接する側の面の後寄りの部分をスリットの壁面との間に隙間が生じるように削ぎ落とされた形状に形成し、ワイヤをシースの先端から隙間内に引き通して駆動レバーと連結したことにより、ワイヤの端部がスリットの幅の半分の幅を有する広い空間側に位置するので、ワイヤの端部が変形して多少広がってきても、スリットの口元に引っ掛かることなく確実に開閉動作が行われる。
【図面の簡単な説明】
【図１】  本発明の第１の参考例の内視鏡用生検鉗子の先端部分の平面一部断面図である。
【図２】  本発明の第１の参考例の内視鏡用生検鉗子の先端部分の側面断面図である。
【図３】  本発明の第１の参考例の内視鏡用生検鉗子の外観図である。
【図４】  本発明の第１の参考例の内視鏡用生検鉗子の先端部分の正面拡大断面図である。
【図５】  本発明の第２の参考例の内視鏡用生検鉗子の先端部分の平面一部断面図である。
【図６】  本発明の実施例の内視鏡用生検鉗子の先端部分の平面一部断面図である。
【図７】  本発明の実施例の内視鏡用生検鉗子の先端部分のワイヤと駆動レバーとの連結部の平面拡大断面図である。
【図８】  従来の内視鏡用生検鉗子の先端部分の側面断面図である。
【図９】  従来の内視鏡用生検鉗子の先端部分の平面一部断面図である。
【図１０】  従来の実施例の内視鏡用生検鉗子の先端部分の正面拡大断面図である。
【符号の説明】
１  可撓性シース
２  操作ワイヤ
２ａ，２ｂ  ワイヤ
２ｃ，２ｄ  ストッパ
３ａ，３ｂ  鉗子片
５ａ，５ｂ  駆動レバー
５ｚ  削ぎ落とし面
６ａ，６ｂ  小孔
９  支軸
４１  スリット
Ａ  隙間
Ｂ  ワイヤの端部
【図１】
0003771779.tif 000002
【図２】
0003771779.tif 000003
【図３】
0003771779.tif 000004
【図４】
0003771779.tif 000005
【図５】
0003771779.tif 000006
【図６】
0003771779.tif 000007
【図７】
0003771779.tif 000008
【図８】
0003771779.tif 000009
【図９】
0003771779.tif 000010
【図１０】
0003771779.tif 000011